(57)【要約】【課題】タバコカートンを適切に収容しながら、そのカートン在庫状況までデータ管理することができるカートン収納ラックを提供する。【解決手段】カートン収納ラック１００は、扁平な直方体状のタバコカートンＳＴＫが前面開口のボックス状のカートン収納空間ＫＳＳに収納される。ただし、そのカートン収納空間ＫＳＳは複数が上下左右に配列されている。しかし、上下左右に配列されている複数のカートン収納空間ＫＳＳに収納されたタバコカートンＳＴＫをカートン検知部１６０が個々に検知する。このタバコカートンＳＴＫの検知結果をカートン管理部がデータ管理する。【選択図】図１
2010143726.tif 000002
【特許請求の範囲】
【請求項１】
扁平な直方体状のタバコカートンを前面開口のボックス状のカートン収納空間に収納するカートン収納ラックであって、
複数の前記カートン収納空間が上下左右に配列されており、
上下左右に配列されている複数の前記カートン収納空間に収納された前記タバコカートンを個々に検知するカートン検知部と、
前記タバコカートンの検知結果をデータ管理するカートン管理部と、
を有するカートン収納ラック。
【請求項２】
前記カートン収納空間は、複数の前記タバコカートンが上下方向に積載されて収納され、
前記カートン検知部は、前記カートン収納空間に積載されて収納された複数の前記タバコカートンを個々に検知する請求項１に記載のカートン収納ラック。
【請求項３】
複数の前記カートン収納空間に前記タバコカートンが複数のタバコ銘柄ごとに収納され、
複数の前記カートン収納空間と複数の前記タバコ銘柄との対応関係をデータ記憶する関係記憶部と、
データ管理されている前記検知結果から収納されている前記タバコカートンの前記タバコ銘柄ごと前記カートン収納空間ごとのカートン在庫状況を前記対応関係に基づいてデータ生成する在庫生成部と、
データ生成された前記タバコ銘柄ごと前記カートン収納空間ごとの前記カートン在庫状況を外部出力する状況出力部とを、
さらに有する請求項１または２に記載のカートン収納ラック。
【請求項４】
他のカートン収納ラックから前記カートン在庫状況を外部入力する状況入力部を、さらに有し、
前記状況出力部は、外部入力された前記カートン在庫状況も外部出力する請求項３に記載のカートン収納ラック。
【請求項５】
前記状況出力部は、前記タバコカートンと同等な形状で前記カートン収納空間の一つに配置されていて前記カートン在庫状況を印刷出力するプリンタユニットを有する請求項３または４に記載のカートン収納ラック。
【請求項６】
前記カートン収納空間の下面に位置して前記タバコカートンが積載される区画底板部材と、
前記カートン収納空間の左右両側に個々に位置して前記区画底板部材に積載された前記タバコカートンを側方から支持する左右一対の区画側壁部材と、
左右両側の前記区画側壁部材の少なくとも一方の内側面に形成されていて前記区画底板部材の上面に積載された複数の前記タバコカートンの最下位の一個以外の前面を弾性支持するカートン支持ストッパとを、
さらに有し、
前記区画底板部材の上面に積載された複数の前記タバコカートンの最下位の一個の前記タバコカートンの前部側面が露出する側壁部材凹部が前記区画側壁部材の下部に形成されている請求項１ないし５の何れか一項に記載のカートン収納ラック。
【請求項７】
前記カートン支持ストッパは、外部から前記カートン収納空間への前記タバコカートンの挿入を阻害しない湾曲自在な弾性材で形成されている請求項６に記載のカートン収納ラック。
【発明の詳細な説明】
【技術分野】
【０００１】
本発明は、扁平な直方体状のタバコカートンを前面開口のボックス状のカートン収納空間に収納するカートン収納ラックに関する。
【背景技術】
【０００２】
現在、いわゆるコンビニエンスストアなどのサプライチェーン店舗では、様々な店頭販売商品を併売している。このようなサプライチェーン店舗の店頭販売商品としてタバコパックがある。
【０００３】
タバコパックは携帯に便利なサイズの小箱に、複数の紙巻タバコをパックした店頭販売商品である。さらに、このタバコパックを、例えば、十箱ほどパックしたタバコカートンも店頭販売商品として併売されている。
【０００４】
このため、現在のサプライチェーン店舗では、タバコパックとタバコカートンとを在庫し、顧客の要望に対応して販売している。ただし、タバコパックが不足したような場合には、タバコカートンを開封してタバコパックを販売するようなこともしている。
【０００５】
従来、タバコパックおよびタバコカートンは、レジスペースの後方に設置された専用のタバコ収納ラックなどに収納されており、顧客の要望に対応して店員がタバコパックやタバコカートンを取り出して販売するようにしていた。また、現在では顧客スペースにタバコパックを陳列する専用のタバコ収納ラックも多用されている。
【０００６】
このため、前述のようにタバコパックを収納する専用のタバコ収納ラックなどは多数が利用されているが、タバコカートンを収納する専用のラックなどは利用されていない。そこで、現在ではタバコ収納ラックに収納されているタバコカートンもデータ管理することが要望されている。
【０００７】
例えば、上述のような課題に利用できる在庫管理装置として、各商品にそれぞれ無線タグを付さないで商品陳列棚に陳列されている各商品の在庫減少をリアルタイムに管理する発明が出願されている。
【０００８】
その在庫管理装置では、商品陳列棚に陳列されている商品の在庫数の増減に応じてその棚の商品載置面に対する傾斜角度が変化するように商品陳列棚に無線タグを設ける。また、無線タグの商品載置面に対する傾斜角度によってその無線タグと交信可能な状態と交信不可能な状態とが切換わるように商品陳列棚にアンテナを固定する。そして、アンテナの無線タグとの交信状況により、商品陳列棚に陳列されている商品の在庫を管理する（例えば、特許文献１参照）。
【０００９】
また、在庫管理システムとして、倉庫および店舗の陳列棚における実在庫数を確実に把握することにより、各種伝票を不要にして在庫管理の省力化を図ることのできる発明も出願されている。
【００１０】
その在庫管理システムは、各商品に係る所要データが蓄積される商品マスターファイルを備えるとともにＰＯＳ(Point Of Sales)レジスタと接続されるターミナルコントローラと、商品を陳列する陳列棚に付設され、この陳列棚上に載置されている商品の数量を管理する陳列棚コントローラと、これらターミナルコントローラと陳列棚コントローラとの間でデータの授受を行うデータ伝送手段とを備える（例えば、特許文献２参照）。
【００１１】
さらに、在庫商品管理装置として、収納棚にどんな商品が在庫しているかを自走式のバーコード読取装置によって容易に調査することができるようにした発明も出願されている。
【００１２】
この在庫商品管理装置は、収納棚の各棚段の前面又は背面の縁に上から下まで連続するように取り付けられた走行レールに沿って走行装置を走行させ、この走行装置上のバーコード読取装置によって収納棚の各棚段に収納されている商品に添付されているバーコードを読み取らせる。
【００１３】
このバーコード読取装置が読み取ったバーコードデータを伝送装置に転送し、ここからホストコンピュータのような外部装置に伝送する。これによって、収納棚の在庫商品の情報収集が自動的に行えるようになる（例えば、特許文献３参照）。
【特許文献１】特開２００５−１６０８３８号公報
【特許文献２】特開平０８−５５１６６号公報
【特許文献３】特開平０８−１４７３８２号公報
【発明の開示】
【発明が解決しようとする課題】
【００１４】
現在のサプライチェーン店舗では、前述のようにレジスペースや顧客スペースに設置された専用のタバコ陳列ラックなどにタバコパックを収容して販売している。しかし、このようなタバコ陳列ラックはタバコパックを収容するように形成されている。
【００１５】
このため、タバコカートンはタバコ陳列ラックの空きスペースに収容されたりしている。しかし、タバコパックではなくタバコカートンを購入する顧客も無視することはできず、タバコカートンのカートン在庫状況も適正に管理する必要がある。
【００１６】
過去、タバコパックの販売経路は自動販売機が主流であった。しかし、近年はコンビニエンスストアなどのサプライチェーン店舗でもタバコパックが良好に販売されている。このようなサプライチェーン店舗ではタバコパックだけでなくタバコカートンも良好に販売されている。このため、タバコカートンを適切に収納するとともにカートン在庫状況をデータ管理する必要がある。
【００１７】
本発明は上述のような課題に鑑みてなされたものであり、タバコカートンを適切に収容してカートン在庫状況を管理することができるカートン収容ラックを提供するものである。
【課題を解決するための手段】
【００１８】
本発明のカートン収納ラックは、扁平な直方体状のタバコカートンを前面開口のボックス状のカートン収納空間に収納するカートン収納ラックであって、複数のカートン収納空間が上下左右に配列されており、上下左右に配列されている複数のカートン収納空間に収納されたタバコカートンを個々に検知するカートン検知部と、タバコカートンの検知結果をデータ管理するカートン管理部と、を有する。
【００１９】
従って、本発明のカートン収納ラックでは、扁平な直方体状のタバコカートンが前面開口のボックス状のカートン収納空間に収納される。ただし、そのカートン収納空間は複数が上下左右に配列されている。しかし、上下左右に配列されている複数のカートン収納空間に収納されたタバコカートンをカートン検知部が個々に検知する。このタバコカートンの検知結果をカートン管理部がデータ管理する。
【００２０】
また、上述のようなカートン収納ラックにおいて、カートン収納空間は、複数のタバコカートンが上下方向に積載されて収納され、カートン検知部は、カートン収納空間に積載されて収納された複数のタバコカートンを個々に検知してもよい。
【００２１】
また、上述のようなカートン収納ラックにおいて、複数のカートン収納空間にタバコカートンが複数のタバコ銘柄ごとに収納され、複数のカートン収納空間と複数のタバコ銘柄との対応関係をデータ記憶する関係記憶部と、データ管理されている検知結果から収納されているタバコカートンのタバコ銘柄ごとカートン収納空間ごとのカートン在庫状況を対応関係に基づいてデータ生成する在庫生成部と、データ生成されたタバコ銘柄ごとカートン収納空間ごとのカートン在庫状況を外部出力する状況出力部とを、さらに有してもよい。
【００２２】
また、上述のようなカートン収納ラックにおいて、他のカートン収納ラックからカートン在庫状況を外部入力する状況入力部を、さらに有し、状況出力部は、外部入力されたカートン在庫状況も外部出力してもよい。
【００２３】
また、上述のようなカートン収納ラックにおいて、状況出力部は、タバコカートンと同等な形状でカートン収納空間の一つに配置されていてカートン在庫状況を印刷出力するプリンタユニットを有してもよい。
【００２４】
また、上述のようなカートン収納ラックにおいて、カートン収納空間の下面に位置してタバコカートンが積載される区画底板部材と、カートン収納空間の左右両側に個々に位置して区画底板部材に積載されたタバコカートンを側方から支持する左右一対の区画側壁部材と、左右両側の区画側壁部材の少なくとも一方の内側面に形成されていて区画底板部材の上面に積載された複数のタバコカートンの最下位の一個以外の前面を弾性支持するカートン支持ストッパとを、さらに有し、区画底板部材の上面に積載された複数のタバコカートンの最下位の一個のタバコカートンの前部側面が露出する側壁部材凹部が区画側壁部材の下部に形成されていてもよい。
【００２５】
また、上述のようなカートン収納ラックにおいて、カートン支持ストッパは、外部からカートン収納空間へのタバコカートンの挿入を阻害しない湾曲自在な弾性材で形成されていてもよい。
【００２６】
なお、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【発明の効果】
【００２７】
本発明のカートン収納ラックでは、扁平な直方体状のタバコカートンが前面開口のボックス状のカートン収納空間に収納される。ただし、そのカートン収納空間は複数が上下左右に配列されている。しかし、上下左右に配列されている複数のカートン収納空間に収納されたタバコカートンをカートン検知部が個々に検知する。このタバコカートンの検知結果をカートン管理部がデータ管理する。このため、タバコカートンを適切に収容しながら、そのカートン在庫状況までデータ管理することができる。
【発明を実施するための最良の形態】
【００２８】
本発明の実施の一形態を図面を参照して以下に説明する。まず、本実施の形態のカートン収納ラック１００は、図１ないし図３に示すように、上下方向に積載された扁平な直方体状のタバコカートンＳＴＫを前面開口のボックス状のカートン収納空間ＫＳＳに所定個数まで収納する。
【００２９】
このため、図１に示すように、本実施の形態のカートン収納ラック１００では、上下左右に配列されている複数のカートン収納空間ＫＳＳに収納されたタバコカートンＳＴＫを個々に検知するカートン検知部であるカートン検知センサ１６０を有する。
【００３０】
このカートン検知センサ１６０は、例えば、感圧スイッチなどからなり、カートン収納空間ＫＳＳに収納されるタバコカートンＳＴＫの後面に対応した位置で、カートン収納ラック１００の区画後板部材１４１に装着されている。
【００３１】
そして、本実施の形態のカートン収納ラック１００は、上述のようなカートン検知センサ１６０のタバコカートンＳＴＫの検知結果をデータ管理するカートン管理部であるメインコントローラ１６１も有する。
【００３２】
より詳細には、図４に示すように、メインコントローラ１６１は、いわゆるマイクロコンピュータからなり、適切なコンピュータプログラムが実装されている。メインコントローラ１６１は、例えば、そのコンピュータプログラムのバージョンアップなどに利用されるＣＦ(CompactFlash)カード１６２が着脱自在に装着される。
【００３３】
また、メインコントローラ１６１には、カートン検知センサ１６０のセンサ回路基板１６３、後述するリモートコントローラ１６４、プリンタユニット１６５、ＤＣ(Direct Current)電源基板１６６、等がバスライン１６７で接続されている。
【００３４】
なお、本実施の形態のカートン収納ラック１００では、タバコカートンＳＴＫが複数のタバコ銘柄ごとに複数のカートン収納空間ＫＳＳに収納される。このため、図３に示すように、区画底板部材１１０の上面前部には、カートン収納空間ＫＳＳごとにタバコカートンＳＴＫのタバコ銘柄などを示すタバコ銘柄ラベル１１１が交換自在に貼着されている。
【００３５】
上述のメインコントローラ１６１が実装されているコンピュータプログラムに対応して各種のデータ処理を実行することにより、図８に示すように、複数のカートン収納空間ＫＳＳとタバコカートンＳＴＫの複数のタバコ銘柄との対応関係をデータ記憶する関係記憶部である銘柄収納テーブルＴＳＴと、データ管理されている検知結果から収納されているタバコカートンＳＴＫのタバコ銘柄ごとカートン収納空間ＫＳＳごとのカートン在庫状況を対応関係に基づいてデータ生成する在庫生成部(図示せず)と、が論理的に実現されている。
【００３６】
そこで、詳細には後述するが、図１０に示すように、このデータ生成されたタバコ銘柄ごとカートン収納空間ＫＳＳごとのカートン在庫状況を外部出力する状況出力部として、上述のプリンタユニット１６５が利用される。
【００３７】
上述したメインコントローラ１６１やプリンタユニット１６５等は、前述したラック台座部１５０に内蔵されており、例えば、その側部のメンテナンスハッチ１５１からアクセスできる位置に配置されている。
【００３８】
また、カートン収納ラック１００は、カートン収納空間ＫＳＳの下面に位置してタバコカートンＳＴＫが積載される区画底板部材１１０と、カートン収納空間ＫＳＳの左右両側に個々に位置して区画底板部材１１０に積載されたタバコカートンＳＴＫを側方から支持する左右一対の区画側壁部材１２０と、左右両側の区画側壁部材１２０の少なくとも一方の内側面に形成されていて区画底板部材１１０の上面に積載された複数のタバコカートンＳＴＫの最下位の一個以外の前面を弾性支持するカートン支持ストッパ１３０と、を有する。
【００３９】
ただし、区画底板部材１１０の上面に積載された複数のタバコカートンＳＴＫの最下位の一個のタバコカートンＳＴＫの前部側面が露出する側壁部材凹部１２１が区画側壁部材１２０の下部に形成されている。
【００４０】
また、本実施の形態のカートン収納ラック１００では、図２に示すように、複数のカートン収納空間ＫＳＳが上下左右に配列されている。このため、あるカートン収納空間ＫＳＳの右側の区画側壁部材１２０は、その右側のカートン収納空間ＫＳＳの左側の区画側壁部材１２０を兼用している。
【００４１】
同様に、あるカートン収納空間ＫＳＳの区画底板部材１１０は、その下段のカートン収納空間ＫＳＳの天板を兼用している。当然ながら、最上位のカートン収納空間ＫＳＳには、区画底板部材１１０を兼用しない区画天板部材１４０が形成されている。さらに、本実施の形態のカートン収納ラック１００では、最下部にラック台座部１５０が形成されている。
【００４２】
なお、詳細には後述するが、カートン支持ストッパ１３０は、図５に示すように、外部からカートン収納空間ＫＳＳへのタバコカートンＳＴＫの挿入を阻害しない湾曲自在な弾性材で形成されている。
【００４３】
上述のような構成において、本実施の形態のカートン収納ラック１００では、区画底板部材１１０や左右一対の区画側壁部材１２０で区画されたカートン収納空間ＫＳＳに複数のタバコカートンＳＴＫを上下方向に積載して収納することができる。
【００４４】
本実施の形態のカートン収納ラック１００では、前述のように複数のカートン収納空間ＫＳＳが上下左右に配列されており、例えば、図２に示すように、七段六列に配列されている。
【００４５】
ただし、そのカートン収納空間ＫＳＳに収納されるタバコカートンＳＴＫの個数は一様ではなく、上部の三段では五個が収納され、下部の二段では二個が収納され、中央の二段では三個が収納される。
【００４６】
このため、頻繁に販売されて良好に回転するタバコカートンＳＴＫは、アクセスが容易な上部のカートン収納空間ＫＳＳに五個ずつ収納される。あまり販売されないが在庫が必要なタバコカートンＳＴＫは、下部のカートン収納空間ＫＳＳに二個ずつ収納され、中間のタバコカートンＳＴＫは中央のカートン収納空間ＫＳＳに三個ずつ収納される。
【００４７】
このため、本実施の形態のカートン収納ラック１００では、カートン収納空間ＫＳＳごとのタバコカートンＳＴＫの収納個数を、その販売頻度に対応させておくことができる。
【００４８】
また、本実施の形態のカートン収納ラック１００では、上述のようにカートン収納空間ＫＳＳに収納された複数のタバコカートンＳＴＫは、図３に示すように、最下位の一個以外は前面がカートン支持ストッパ１３０で弾性支持される。
【００４９】
このカートン支持ストッパ１３０で弾性支持されない最下位の一個のタバコカートンＳＴＫは、側壁部材凹部１２１に前部側面が露出する。このため、最下位の一個のタバコカートンＳＴＫは側壁部材凹部１２１から手指で容易に保持される。
【００５０】
このように保持された最下位の一個のタバコカートンＳＴＫが取り出されるときも、その上方に積載されているタバコカートンＳＴＫは前面がカートン支持ストッパ１３０で弾性支持される。
【００５１】
従って、タバコカートンＳＴＫを上下方向に積載して良好に収納することができ、このように上下方向に積載された複数のタバコカートンＳＴＫを先入れ先出しで最下位から一個ずつ容易に取り出すことができる。
【００５２】
特に、図５に示すように、カートン支持ストッパ１３０は、外部からカートン収納空間ＫＳＳへのタバコカートンＳＴＫの挿入を阻害しない湾曲自在な弾性材で形成されている。
【００５３】
このため、カートン収納空間ＫＳＳにタバコカートンＳＴＫを容易に収納することができ、カートン収納空間ＫＳＳに積載されて収納された複数のタバコカートンＳＴＫを最下位の一個以外はカートン支持ストッパ１３０で自動的に保持することができる。
【００５４】
しかも、本実施の形態のカートン収納ラック１００では、前述のように複数のカートン収納空間ＫＳＳが上下左右に七段六列に配列されているので、その各々に「Ａ−１」〜「Ｇ−６」なる収納空間ＩＤが設定されている。
【００５５】
そして、本実施の形態のカートン収納ラック１００は、前述のように複数のカートン収納空間ＫＳＳに収納されたタバコカートンＳＴＫをカートン検知センサ１６０で個々に検知することができ、そのタバコカートンＳＴＫの検知結果をメインコントローラ１６１でデータ管理することができる。
【００５６】
ここで、このデータ管理手法を図６ないし図９を参照して以下に説明する。まず、サプライチェーン店舗に納品したカートン収納ラック１００にタバコカートンＳＴＫを収納する初期作業を実行するような場合、店舗作業者(図示せず)はラック台座部１５０のメンテナンスハッチ１５１を開放してリモートコントローラ１６４でメインコントローラ１６１にアクセスする。
【００５７】
そして、図６に示すように、リモートコントローラ１６４の所定操作でテーブル生成モードの開始をメインコントローラ１６１に入力操作する(ステップＳ１−Ｙ)。つぎに、カートン収納空間ＫＳＳの収納空間ＩＤとタバコカートンＳＴＫのタバコ銘柄とをリモートコントローラ１６４でメインコントローラ１６１に入力操作する(ステップＳ２−Ｙ，Ｓ３−Ｙ)。
【００５８】
このとき、店舗作業者は実際にカートン収納ラック１００のカートン収納空間ＫＳＳに収納するタバコカートンＳＴＫのレイアウトを想定し、そのカートン収納空間ＫＳＳの収納空間ＩＤとタバコカートンＳＴＫのタバコ銘柄とを入力操作する。
【００５９】
なお、収納空間ＩＤは、前述のように七段六列のカートン収納空間ＫＳＳに対応して「Ａ−１」〜「Ｇ−６」などと事前に設定されており、タバコ銘柄も、例えば、ＪＡＮ(Japanese Article Number)などの所定のＩＤコードに事前に設定されている。
【００６０】
このとき、リモートコントローラ１６４に表示出力されるタバコ銘柄とＪＡＮコードとが手動操作で選定されてもよく、リモートコントローラ１６４のバーコードリーダ(図示せず)でタバコカートンＳＴＫのバーコード画像を読取走査させてもよい。
【００６１】
そこで、上述のように収納空間ＩＤとタバコ銘柄とが連続に入力操作されると(ステップＳ２−Ｙ，Ｓ３−Ｙ)、図８(ａ)(ｂ)に示すように、これらの対応関係がメインコントローラ１６１の銘柄収納テーブルＴＳＴにデータ登録される(ステップＳ４)。
【００６２】
上述のような作業を繰り返して所望の銘柄収納テーブルＴＳＴが完成すると(ステップＳ２〜Ｓ４)、店舗作業者はリモートコントローラ１６４の所定操作でメインコントローラ１６１にテーブル生成終了を入力操作する(ステップＳ５−Ｙ)。上述のように銘柄収納テーブルＴＳＴが設定されると、複数のカートン収納空間ＫＳＳと複数のタバコ銘柄との対応関係が規定されることになる。
【００６３】
そこで、この対応関係により実際にカートン収納ラック１００にタバコカートンＳＴＫを収納する場合、やはり店舗作業者はラック台座部１５０のメンテナンスハッチ１５１を開放してリモートコントローラ１６４でメインコントローラ１６１にアクセスする。
【００６４】
そして、図７に示すように、リモートコントローラ１６４の所定操作でカートン補充モードの開始をメインコントローラ１６１に入力操作する(ステップＴ１−Ｙ)。このような状態で、カートン収納空間ＫＳＳにタバコカートンＳＴＫを収納すると、これがカートン検知センサ１６０で個々に検知されてメインコントローラ１６１に通達される(ステップＴ２−Ｙ)。
【００６５】
すると、このメインコントローラ１６１は、図８(ｃ)に示すように、収納の検知結果に対応して銘柄収納テーブルＴＳＴの「現在収納個数」と「補充可能個数」とをデータ更新する(ステップＴ３)。
【００６６】
このとき、店舗作業者の所望によりリモートコントローラ１６４の所定操作で(ステップＴ４−Ｙ)、図９に示すように、銘柄収納テーブルＴＳＴをプリンタユニット１６５で印刷出力することもできる(ステップＴ５)。
【００６７】
このため、店舗作業者は実際にカートン収納ラック１００に収納されたタバコカートンＳＴＫと、銘柄収納テーブルＴＳＴの印刷結果とを照合することなどにより、タバコカートンＳＴＫの収納作業が適切に実行されたかなども容易に確認することができる。従って、店舗作業者は複数のカートン収納空間ＫＳＳに複数種類のタバコカートンＳＴＫを簡単に適切に収納することができる。
【００６８】
なお、上述のように店舗作業者の所望によりリモートコントローラ１６４の所定操作で(ステップＴ４−Ｙ)、銘柄収納テーブルＴＳＴをプリンタユニット１６５で印刷出力するとき(ステップＴ５)、図１０に示すように、メインコントローラ１６１でタバコカートンＳＴＫのタバコ銘柄ごとカートン収納空間ＫＳＳごとのカートン在庫状況を印刷出力することもできる。
【００６９】
また、上述のように店舗作業者の所望によりリモートコントローラ１６４の所定操作で(ステップＴ４−Ｙ)、銘柄収納テーブルＴＳＴに対応してプリンタユニット１６５でタバコ銘柄ラベル１１１を印刷出力することもできる。
【００７０】
このようなタバコ銘柄ラベル１１１は専用の用紙により貼付シールとして形成され、図３に示すように、対応するカートン収納空間ＫＳＳの区画底板部材１１０の前部上面などに貼付される。
【００７１】
本実施の形態のカートン収納ラック１００では、上述のように区画底板部材１１０や左右一対の区画側壁部材１２０で区画されたカートン収納空間ＫＳＳに複数のタバコカートンＳＴＫを上下方向に積載して収納することができる。
【００７２】
このように収納された複数のタバコカートンＳＴＫは最下位の一個以外は前面がカートン支持ストッパ１３０で弾性支持される。このカートン支持ストッパ１３０で弾性支持されない最下位の一個のタバコカートンＳＴＫは、側壁部材凹部１２１に前部側面が露出する。
【００７３】
このため、最下位の一個のタバコカートンＳＴＫは側壁部材凹部１２１から手指で容易に保持して取り出すことができる。このようなときも、その上方に積載されているタバコカートンＳＴＫは前面がカートン支持ストッパ１３０で弾性支持されているので飛び出すようなことがない。
【００７４】
従って、タバコカートンＳＴＫを上下方向に積載して良好に収納することができ、このように上下方向に積載された複数のタバコカートンＳＴＫを先入れ先出しで最下位から一個ずつ容易に取り出すことができる。
【００７５】
このため、上下方向に積載されたタバコカートンＳＴＫが上方から販売される先入れ後出しとなることを防止でき、下方に古いタバコカートンＳＴＫが放置されて鮮度が低下するようなことを防止できる。
【００７６】
さらに、本実施の形態のカートン収納ラック１００では、収納されたタバコカートンＳＴＫがカートン支持ストッパ１３０で支持されることによりカートン検知センサ１６０で確実に検知されるので、タバコカートンＳＴＫの収納位置が不適であることによるカートン検知センサ１６０の検知エラーも良好に防止することができる。
【００７７】
そして、本実施の形態のカートン収納ラック１００は、従来の什器や商品ラックとは相違して電子化されており、スタンドアロンで各種のデータ管理を実行する。そこで、上述のようにカートン検知センサ１６０で確実に検知されるタバコカートンＳＴＫの収納状態を、メインコントローラ１６１の銘柄収納テーブルＴＳＴでデータ管理する。
【００７８】
このため、本実施の形態のカートン収納ラック１００は、外部のＰＯＳサーバなどに依存することなく、タバコカートンＳＴＫの収納状態をスタンドアロンでデータ管理することができる。
【００７９】
従って、ＰＯＳサーバなどを利用していない小規模店舗などでも、カートン収納ラック１００を導入することでタバコカートンＳＴＫの収納状態を容易にデータ管理することができる。
【００８０】
特に、本実施の形態のカートン収納ラック１００は、タバコカートンＳＴＫの収納状態を印刷出力するプリンタユニット１６５も内蔵している。このため、別個にプリンタ装置を用意して接続するような必要なく、タバコカートンＳＴＫの収納状態を印刷出力することができる。
【００８１】
しかも、本実施の形態のカートン収納ラック１００は、図１０に示すように、タバコカートンＳＴＫのカートン在庫状況をタバコ銘柄ごとに印刷出力することができる。このため、店舗作業者はカートン収納ラック１００の任意の個数のカートン収納空間ＫＳＳに収納されているタバコカートンＳＴＫのカートン在庫状況を簡単に把握することができ、不足するタバコカートンＳＴＫを迅速に発注するようなことができる。
【００８２】
さらに、図９に示すように、タバコカートンＳＴＫの収納状態をカートン収納空間ＫＳＳごとに印刷出力することもできる。このため、店舗作業者はカートン収納ラック１００に在庫されているタバコカートンＳＴＫをカートン収納空間ＫＳＳごとに一目で確認することができる。従って、店舗作業者は入荷したタバコカートンＳＴＫを適切なカートン収納空間ＫＳＳに簡単に補充することができる。
【００８３】
なお、本発明は本実施の形態に限定されるものではなく、その要旨を逸脱しない範囲で各種の変形を許容する。例えば、上記形態ではサプライチェーン店舗で販売しているタバコパックの銘柄個数に比較して、少数のタバコ銘柄のタバコカートンＳＴＫを収納するカートン収納ラック１００を想定した。しかし、タバコパックと同数のタバコ銘柄のタバコカートンＳＴＫを収納できる大型のカートン収納ラック(図示せず)なども実施可能である。
【００８４】
さらに、上記形態ではリモートコントローラ１６４とプリンタユニット１６５とがラック台座部１５０に内蔵されていてメンテナンスハッチ１５１からアクセスされることを例示した。
【００８５】
しかし、図１１に例示するカートン収納ラック２００のように、リモートコントローラ１６４とプリンタユニット１６５とが任意のカートン収納空間ＫＳＳに内蔵されていてもよい。
【００８６】
この場合、当然ながらリモートコントローラ１６４とプリンタユニット１６５とは、タバコカートンＳＴＫと同等な外形に形成されていればよい。このようなカートン収納ラック２００では、一部のカートン収納空間ＫＳＳにタバコカートンＳＴＫを収納できないことになるが、リモートコントローラ１６４とプリンタユニット１６５との利用が容易となる。
【００８７】
また、上記形態では一個のカートン収納ラック１００がスタンドアロンで機能し、データ生成されたタバコ銘柄ごとカートン収納空間ごとのカートン在庫状況を状況出力部であるプリンタユニット１６５の印刷出力により外部出力することを例示した。
【００８８】
しかし、そのカートン在庫状況をＬＡＮ(Local Area Network)やインターネットなどの通信ネットワークで、タバコカートンＳＴＫの製造メーカや中間業者のデータベースサーバ(図示せず)などにデータ送信で外部出力してもよい。
【００８９】
さらに、上述のようなカートン収納ラック１００が、他のカートン収納ラック１００からカートン在庫状況を外部入力する状況入力部も有し、外部入力されたカートン在庫状況を外部出力してもよい(図示せず)。この場合、一個のカートン収納ラック１００を親機として、子機となる複数のカートン収納ラック(図示せず)をチェーン状に接続するようなこともできる。
【００９０】
また、上記形態では店舗作業者がタバコカートンＳＴＫの補充要否を銘柄収納テーブルＴＳＴの印刷結果などから判断することを例示した。しかし、図１２に示すように、カートン収納ラック１００の区画側壁部材１２０に補充指標部材１１２を上下方向にスライド自在に装着しておき、これを目安に補充要否が判断されてもよい。
【００９１】
さらに、上記形態ではカートン収納空間ＫＳＳに挿入されるタバコカートンＳＴＫの前面を支持するカートン支持ストッパ１３０が、左側の区画側壁部材１２０の右面に装着されていることを例示した。
【００９２】
しかし、当然ながら、カートン支持ストッパ１３０が、右側の区画側壁部材１２０の左面に装着されていてもよく、左右両側の区画側壁部材１２０に装着されていてもよい(図示せず)。
【００９３】
また、上記形態では複数のカートン収納空間ＫＳＳの全部にタバコカートンＳＴＫが収納されることを想定した。しかし、実際には複数のカートン収納空間ＫＳＳの一部が未使用となることもある。
【００９４】
このような場合、例えば、前述の銘柄収納テーブルＴＳＴには収納されているタバコカートンＳＴＫのタバコ銘柄として、未使用を示す「００００」などの所定コードが設定されればよい(図示せず)。
【００９５】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【図面の簡単な説明】
【００９６】
【図１】本発明の実施の形態のカートン収納ラックにタバコカートンが収納される状態を示す要部の縦断側面図である。
【図２】カートン収納ラックの全体の外観を示す斜視図である。
【図３】カートン収納ラックにタバコカートンが収納される状態を示す要部の分解斜視図である。
【図４】カートン収納ラックの回路構造を示すブロック図である。
【図５】カートン収納ラックにタバコカートンが収納される状態を示す要部の工程図である。
【図６】カートン収納ラックのサブルーチンのデータ処理方法を示すフローチャートである。
【図７】カートン収納ラックのサブルーチンのデータ処理方法を示すフローチャートである。
【図８】関係記憶部である銘柄収納テーブルのデータ記憶構造を示す模式図である。
【図９】銘柄収納テーブルの印刷結果を示す模式的な平面図である。
【図１０】他の印刷結果を示す模式的な平面図である。
【図１１】一の変形例のカートン収納ラックの全体の外観を示す斜視図である。
【図１２】他の変形例のカートン収納ラックにタバコカートンが収納される状態を示す要部の分解斜視図である。
【符号の説明】
【００９７】
１００    カートン収納ラック
１１０    区画底板部材
１１１    タバコ銘柄ラベル
１１２    補充指標部材
１２０    区画側壁部材
１２１    側壁部材凹部
１３０    カートン支持ストッパ
１４０    区画天板部材
１４１    区画後板部材
１５０    ラック台座部
１５１    メンテナンスハッチ
１６０    カートン検知センサ
１６１    メインコントローラ
１６２    ＣＦカード
１６３    センサ回路基板
１６４    リモートコントローラ
１６５    プリンタユニット
１６６    ＤＣ電源基板
１６７    バスライン
２００    カートン収納ラック
ＫＳＳ    カートン収納空間
ＳＴＫ    タバコカートン
ＴＳＴ    銘柄収納テーブル
【図１】
2010143726.tif 000003
【図２】
2010143726.tif 000004
【図３】
2010143726.tif 000005
【図４】
2010143726.tif 000006
【図５】
2010143726.tif 000007
【図６】
2010143726.tif 000008
【図７】
2010143726.tif 000009
【図８】
2010143726.tif 000010
【図９】
2010143726.tif 000011
【図１０】
2010143726.tif 000012
【図１１】
2010143726.tif 000013
【図１２】
2010143726.tif 000014